(57)【特許請求の範囲】
【請求項１】
磁気ディスク装置のクランプの外縁に形成された溝に係止され、磁気ディスクの回転バランスを補正する略円弧状のワイヤバランスがセットされるワイヤバランスのストック治具であって、
第１の斜面と、
該第１の斜面に連設され、傾きが前記第１の斜面と逆方向で、前記第１の斜面とで第１の山部を形成する第２の斜面と、
該第２の斜面に連設され、傾きが前記第２の斜面と逆方向の第３の斜面と、
該第３の斜面に連設され、傾きが前記第３の斜面と逆方向で、前記第３の斜面とで第２の山部を形成する第４の斜面と、
前記第１の山部の稜線に対して交差し、前記第１の斜面から前記第１の山部の頂上を経由して前記第２の斜面まで延び、前記ワイヤバランスの一方の端部側が挿入される第１の溝と、
前記第２の山部の稜線に対して交差し、前記第４の斜面から前記第２の山部の頂上を経由して前記第３の斜面まで延び、前記ワイヤバランスの他方の端部側が挿入され、前記第１の溝と略同一直線上に設けられた第２の溝と、
を有し、
前記ワイヤバランスを前記第１の溝、前記第２の溝に挿入し、前記第１の溝の第２の斜面側の端部と前記第２の溝の第３の斜面側の端部とに前記ワイヤバランスが当接したときに、前記ワイヤバランスが前記第１の溝の前記第１の斜面側の端部と、前記第２の溝の第４の斜面側の端部を押圧するように前記第１の溝、前記第２の溝を形成し、
前記第１の溝、前記第２の溝を複数設けたことを特徴とするワイヤバランスのストック治具。
【請求項２】
前記第１の斜面側に形成され、挿入された前記ワイヤバランスの一方の端部が当接可能な第１のワイヤ端当接部と、
前記第４の斜面側に形成され、挿入された前記ワイヤバランスの他方の端部が当接可能な第２のワイヤ端当接部と、
を設けたことを特徴とする請求項１記載のワイヤバランスのストック治具。
【請求項３】
１枚の板材を折り曲げ加工して形成されたことを特徴とする請求項１または２記載のワイヤバランスのストック治具。
【発明の詳細な説明】
【０００１】
【発明の属する技術分野】
本発明は、磁気ディスク装置のクランプの外縁に形成された溝に係止され、磁気ディスクの回転バランスを補正する略円弧状のワイヤバランスがセットされるワイヤバランスのストック治具に関する。
【０００２】
近年、磁気ディスク装置の高信頼性要求は高まる一方である。特に、部品の洗浄度は重要視されており、洗浄後部品のハンドリングは極力避ける製造プロセスの構築が急務となっている。ワイヤバランスは磁気ディスク装置の回転部分に実装されるので、特に部品洗浄度が要求されている。
【０００３】
【従来の技術】
最初に、図４を用いて磁気ディスク装置の磁気ディスクの取付構造を説明する。尚、（ａ）図は断面図、（ｂ）図は（ａ）図の上面図である。
【０００４】
図において、１はベース、２はベース１上に立設されたシャフトである。このシャフト２には、ベアリング３,４を介してスピンドルハブ５が回転可能に設けられている。このスピンドルハブ５の内周面には、マグネット６,ヨーク７からなる磁気回路８が設けられている。
【０００５】
一方、シャフト２には、磁気回路８の磁気ギャップに配設されるステータ９が設けられている。
スピンドルハブ５の外筒部の下部には、つば部５ａが形成され、このつば部５ａ上に複数枚の磁気ディスク１０及びスペーサ１１が交互に積層配置されている。
【０００６】
そして、スピンドルハブ５の上部には、クランプ１２が取り付けられ、磁気ディスク１０及びスペーサ１１をスピンドルハブ５のつば部５ａに押圧している。このクランプ１２には、その周縁に沿って溝１２ａが形成され、この溝１２ａには、磁気ディスク１０の回転時のバランスを補正するワイヤバランス１３が係合されている。
【０００７】
ワイヤバランス１３は、図５に示すように、自然状態では楕円弧状である。このワイヤバランス１３を縮径すると、２点鎖線で示すような略円弧状となる。略円弧状となったワイヤバランス１３をクランプ１２の溝１２ａの内側に配置し、ワイヤバランス１３を縮径状態を解除するとワイヤバランス１３が溝１２ａの壁面に押接し、クランプ１２に取り付けられる。
【０００８】
ワイヤバランス１３はその長さや太さが異なるものが複数種類用意されており、磁気ディスクのアンバランス量に応じて、複数種類のワイヤバランスのなかから最適な大きさのワイヤバランスが選択され、さらに、アンバランス方向に応じてクランプ１２の溝１２ａに対するワイヤバランス１３の取付位置が決められる。
【０００９】
【発明が解決しようとする課題】
しかし、上記構成のワイヤバランス１３はかご等に一括して投入され、洗浄→腐食防止の表面処理→クランプへの取り付けが行なわれている。
【００１０】
しかし、ワイヤバランス１３同士が絡まるので、その絡まりを解く工数が必要となったり、絡まりを解く際にワイヤバランス１３を汚染することがあった。
本発明は、上記問題点に鑑みてなされたもので、その課題は、工数が低減し、ワイヤバランスの汚染を防止できるワイヤバランスのストック治具を提供することにある。
【００１１】
【課題を解決するための手段】
図１は請求項１記載の発明を説明する原理図である。図において、磁気ディスクの回転バランスを補正する略円弧状のワイヤバランス５１がセットされるワイヤバランスのストック治具５３は、第１の斜面５５と、第１の斜面５５に連設され、傾きが第１の斜面５５と逆方向で、第１の斜面５５とで第１の山部５７を形成する第２の斜面５９と、第２の斜面５９に連設され、傾きが第２の斜面５９と逆方向の第３の斜面６１と、第３の斜面６１に連設され、傾きが第３の斜面６１と逆方向で、第３の斜面６１とで第２の山部６３を形成する第４の斜面６５とを有している。
【００１２】
第１の山部５７の稜線に対して交差し、第１の斜面５５から第１の山部５７の頂上を経由して第２の斜面５９まで延び、ワイヤバランス５１の一方の端部側が挿入される第１の溝７１と、第２の山部６３の稜線に対して交差し、第４の斜面６５から第２の山部６３の頂上を経由して第３の斜面６１まで延び、ワイヤバランス５１の他方の端部側が挿入され、第１の溝７１と略同一直線上に設けられた第２の溝７３とが設けられている。
【００１３】
そして、ワイヤバランス５１を第１の溝７１、第２の溝７３に挿入し、第１の溝７１の第２の斜面５９側の端部５９ａと第２の溝７３の第３の斜面６１側の端部７３ａとにワイヤバランス５１が当接したときに、ワイヤバランス５１が第１の溝７１の第１の斜面５５側の端部７１ｂと、第２の溝７３の第４の斜面６５側の端部７３ｂを押圧するように第１の溝７１、第２の溝７３が形成されている。
【００１４】
さらに、第１の溝７１、第２の溝７３は複数設けられている。
図１に示すように、ワイヤバランス５１を第１の溝７１、第２の溝７３に挿入し、第１の溝７１の第２の斜面５９側の端部５９ａと第２の溝７３の第３の斜面６１側の端部７３ａとにワイヤバランス５１が当接したときに、ワイヤバランス５１が第１の溝７１の第１の斜面５５側の端部７１ｂと、第２の溝７３の第４の斜面６５側の端部７３ｂを押圧するので、図に示すｘｙｚ座標において、ワイヤバランス５１のｙ方向の支持は、第１の溝７１の端部７１ａ、第２の溝７３の端部７３ａでなされ、ワイヤバランス５１のｘ方向の支持は第１の溝７１の端部７１ｂ、第２の溝７３の端部７３ｂでなされ、ワイヤバランス５１のｚ軸方向の支持は、第１の溝７１、第２の溝７３の長手方向の壁面でなされ、ワイヤバランス５１はストック治具５３に安定してセットされる。
【００１５】
そして、第１の溝７１、第２の溝７３は複数設けられるので、複数のワイヤバランスをストック治具５３にセットすることができる。
よって、このストック治具５３に複数のワイヤバランス５１をセットした状態て、洗浄、腐食防止の表面処理を行なうことで、従来必要であったワイヤバランスの絡まりを解く工数が不要となり、さらに、絡まりを解く際でのワイヤバランスの汚染も防止することができる。
【００１６】
請求項２記載の発明は、前記第１の斜面側に形成され、挿入された前記ワイヤバランスの一方の端部が当接可能な第１のワイヤ端当接部と、前記第４の斜面側に形成され、挿入された前記ワイヤバランスの他方の端部が当接可能な第２のワイヤ端当接部とを設けたことを特徴とする請求項１記載のワイヤバランスのストック治具である。
【００１７】
前記第１の斜面側に形成され、挿入された前記ワイヤバランスの一方の端部が当接可能な第１のワイヤ端当接部と、前記第４の斜面側に形成され、挿入された前記ワイヤバランスの他方の端部が当接可能な第２のワイヤ端当接部とを設けたことにより、第１の溝及び第２の溝にセットされたワイヤバランスの回転を防止することができる。
【００１８】
請求項３記載の発明は、１枚の板材を折り曲げ加工して形成されたことを特徴とする請求項１または２記載のワイヤバランスのストック治具である。
１枚の板材を折り曲げ加工して形成されたことにより、ストック治具に液溜まり箇所がなくなる。
【００１９】
よって、洗浄、腐食防止の表面処理を行なう際に使用された液が、ストック治具に長期間付着することがなくなり、ストック治具の腐食を防止できる。
【００２０】
【発明の実施の形態】
次に図面を用いて本発明の実施の形態例を説明する。図２は本発明の実施の形態例のワイヤバランスのストック治具の斜視図である。
【００２１】
図において、ワイヤバランス１５１がセットされるワイヤバランスのストック治具１５３は、１枚のステンレス等の耐食性のある金属の板材を折り曲げ加工してなるものである。
【００２２】
このストック治具１５３は、第１の斜面１５５と、第１の斜面１５５に連設され、傾きが第１の斜面１５５と逆方向で、第１の斜面１５５とで第１の山部１５７を形成する第２の斜面１５９と、第２の斜面１５９に連設され、傾きが第２の斜面１５９と逆方向の第３の斜面１６１と、第３の斜面１６１に連設され、傾きが第３の斜面１６１と逆方向で、第３の斜面１６１とで第２の山部６３を形成する第４の斜面１６５とを有している。
【００２３】
第１の山部１５７には、その稜線に対して略直交し、第１の斜面１５５から第１の山部１５７の頂上を経由して第２の斜面１５９まで延び、ワイヤバランス１５１の一方の端部側が挿入される第１の溝１７１が形成されている。
【００２４】
第２の山部１６３にも、その稜線に対して略直交し、第４の斜面１６５から第２の山部１６３の頂上を経由して第３の斜面１６１まで延び、ワイヤバランス１５１の他方の端部側が挿入され、第１の溝１７１と略同一直線上に設けられた第２の溝１７３が形成されている。
【００２５】
そして、ワイヤバランス１５１を第１の溝１７１、第２の溝１７３に挿入し、第１の溝１７１の第２の斜面１５９側の端部１７１ａと第２の溝１７３の第３の斜面１６１側の端部１７３ａとにワイヤバランス１５１が当接したときに、ワイヤバランス１５１が第１の溝１７１の第１の斜面１５５側の端部１７１ｂと、第２の溝１７３の第４の斜面１６５側の端部１７３ｂを押圧するように第１の溝１７１、第２の溝１７３は設定されている。
【００２６】
さらに、第１の溝７１、第２の溝７３は複数設けられている。
そして、第１の斜面１５５には、挿入されたワイヤバランス１５１の一方の端部が当接可能な第１のワイヤ端当接部１８１が、第４の斜面１６５側には、挿入されたワイヤバランス１５１の他方の端部が当接可能な第２のワイヤ端当接部１８３が形成されている。
【００２７】
上記構成の作動を説明する。
図２に示すように、ワイヤバランス１５１を第１の溝１７１、第２の溝１７３に挿入し、第１の溝１７１の第２の斜面１５９側の端部１７１ａと第２の溝１７３の第３の斜面１６１側の端部１７３ａとにワイヤバランス１５１が当接したときに、ワイヤバランス１５１が第１の溝１７１の第１の斜面１５５側の端部１７１ｂと、第２の溝１７３の第４の斜面１６５側の端部１７３ｂを押圧するので、図に示すｘｙｚ座標において、ワイヤバランス１５１のｙ方向の支持は、第１の溝１７１の端部１７１ａ、第２の溝１７３の端部１７３ａでなされ、ワイヤバランス１５１のｘ方向の支持は第１の溝１７１の端部１７１ｂ、第２の溝１７３の端部１７３ｂでなされ、ワイヤバランス１５１のｚ軸方向の支持は、第１の溝１７１、第２の溝１７３の長手方向の壁面でなされる。
【００２８】
又、ワイヤバランス１５１の一方の端部が当接可能な第１のワイヤ端当接部１８１と、ワイヤバランス１５１の他方の端部が当接可能な第２のワイヤ端当接部１８３を設けたことで、ｘｙ平面でのワイヤバランス１５１の回転を禁止している。
【００２９】
次に、図３を用いてストック治具１５３よりワイヤバランス１５１を取り出す際の作動を説明する。
図３（ａ）において、ストック治具１５３の第１の溝１７１から外部に突出したワイヤバランス１５１の部位に対向して第１のアーム２０１が、第２の溝１７３から外部に突出したワイヤバランス１５１の部位に対向して第２のアーム２０３が設けられ、ストック治具１５３の第２の斜面１５９、第３の斜面１６１から外部に突出したワイヤバランス１５１の部位に対向して第３のアーム２０５がそれぞれ配置されている。
【００３０】
これら、第１のアーム２０１、第２のアーム２０３、第３のアーム２０５は、ワイヤバランス１５１に対してそれぞれ矢印Ｉ、矢印ＩＩ方向に進退可能可能となっている。
【００３１】
図３（ａ）の切断線Ａ−Ａでの断面図である図３（ｂ）に示すように、ストック治具１５３の第２の斜面１５９、第３の斜面１６１、ワイヤバランス１５１で形成される空間に位置し、ワイヤバランス１５１に当接可能な溝付ローラ２１５が第３のアーム２０５上に設けられている。又、第１のアーム２０１、第２のアーム２０３にもワイヤバランス１５１に当接可能な溝付ローラ２１１、２１３が設けられている。
【００３２】
尚、第１のアーム２０１、第２のアーム２０３の溝付ローラ２１１、２１３の取り付け面と、第３のアーム２０５の溝付ローラ２１５の取り付け面とは、図において裏表の関係であるが、同一方向の面に取り付けてもかまわない。
【００３３】
上記構成の作動を説明すると、図３（ａ）に示す初期状態から第１のアーム２０１、第２のアーム２０３が矢印Ｉ方向に移動する。すると、図３（ｃ）に示すように、第１のアーム２０１の溝付ローラ２１１がストック治具１５３の第１の溝１７１から外部に突出したワイヤバランス１５１の部位を、第２のアーム２０３の溝付ローラ２１３がストック治具１５３の第２の溝１７３から外部に突出したワイヤバランス１５１の部位をそれぞれ矢印Ｉ方向に押し、ワイヤバランス１５１は縮径する方向に弾性変形する。即ち、ワイヤバランス１５１の第１の溝１７１の第１の斜面１５５側の端部１７１ｂへの押圧と、第２の溝１７３の第４の斜面１６５側の端部１７３ｂへの押圧とが解除され、ワイヤバランス１５１が矢印ＩＩ方向へ移動可能となる。
【００３４】
また、第３のアーム２０５が矢印ＩＩ方向に移動する。すると、図３（ｃ）に示すように、第３のアーム２０５の溝付ローラ２１５が、ストック治具１５３の第２の斜面１５９、第３の斜面１６１から外部に突出したワイヤバランス１５１の部位に当接する。この時、ワイヤバランス１５１は、その内周側から当接する第３のアーム２０５の溝付ローラ２１５と、その外周側から当接する第１のアーム２０１の溝付ローラ２１１、第２のアーム２０３の溝付ローラ２１３との３つの溝付ローラで挟持されることとなる。
【００３５】
そして、そのワイヤバランス１５１の挟持状態を保ったまま、第１のアーム２０１、第２のアーム２０３、第３のアーム２０５は矢印ＩＩ方向に移動し、ストック治具１５３からワイヤバランス１５１が取り出される。
【００３６】
上記構成によれば、以下のような効果を得ることができる。
（１）ストック治具１５３に複数のワイヤバランス１５１をセットした状態て、洗浄、腐食防止の表面処理を行なうことで、従来必要であったワイヤバランス１５１の絡まりを解く工数が不要となり、さらに、絡まりを解く際でのワイヤバランスの汚染も防止することができる。
【００３７】
（２）第１のワイヤ端当接部１８１と、第２のワイヤ端当接部１８３とを設けたことにより、第１の溝１７１及び第２の溝１７３にセットされたワイヤバランス１５１の回転を防止することができる
（３）ストック治具１５３は、１枚の板材を折り曲げ加工して形成されたことにより、ストック治具１５３に液溜まり箇所がなくなる。
【００３８】
よって、洗浄、腐食防止の表面処理を行なう際に使用された液が、ストック治具１５３に長期間付着することがなくなり、ストック治具１５３の腐食を防止できる。
【００３９】
【発明の効果】
以上述べたように請求項１記載の発明によれば、第１の斜面と、第１の斜面に連設され、傾きが第１の斜面と逆方向で、第１の斜面とで第１の山部を形成する第２の斜面と、第２の斜面に連設され、傾きが第２の斜面と逆方向の第３の斜面と、第３の斜面に連設され、傾きが第３の斜面と逆方向で、第３の斜面とで第２の山部を形成する第４の斜面と、第１の山部の稜線に対して交差し、第１の斜面から第１の山部の頂上を経由して第２の斜面まで延び、ワイヤバランスの一方の端部側が挿入される第１の溝と、第２の山部の稜線に対して交差し、第４の斜面から第２の山部の頂上を経由して第３の斜面まで延び、ワイヤバランスの他方の端部側が挿入され、第１の溝と略同一直線上に設けられた第２の溝とを有し、ワイヤバランスを第１の溝、第２の溝に挿入し、第１の溝の第２の斜面側の端部と第２の溝の第３の斜面側の端部とに前記ワイヤバランスが当接したときに、ワイヤバランスが第１の溝の前記第１の斜面側の端部と、第２の溝の第４の斜面側の端部を押圧するように第１の溝、第２の溝を形成したことにより、ワイヤバランスは第１の溝、第２の溝に安定してセットされ、第１の溝、第２の溝は複数設けられるので、複数のワイヤバランスをストック治具に安定してセットすることができる。
【００４０】
よって、このストック治具に複数のワイヤバランスをセットした状態て、洗浄、腐食防止の表面処理を行なうことで、従来必要であったワイヤバランスの絡まりを解く工数が不要となり、さらに、絡まりを解く際でのワイヤバランスの汚染も防止することができる。
【００４１】
請求項２記載の発明によれば、前記第１の斜面側に形成され、挿入された前記ワイヤバランスの一方の端部が当接可能な第１のワイヤ端当接部と、前記第４の斜面側に形成され、挿入された前記ワイヤバランスの他方の端部が当接可能な第２のワイヤ端当接部とを設けたことにより、第１の溝及び第２の溝にセットされたワイヤバランスの回転を防止することができる。
【００４２】
請求項３記載の発明によれば、１枚の板材を折り曲げ加工して形成されたことにより、ストック治具に液溜まり箇所がなくなる。
よって、洗浄、腐食防止の表面処理を行なう際に使用された液が、ストック治具に長期間付着することがなくなり、ストック治具の腐食を防止できる。
【図面の簡単な説明】
【図１】本発明の原理図である。
【図２】本発明の実施の形態例のワイヤバランスのストック治具の斜視図である。
【図３】図２のストック治具よりワイヤバランスを取り出す際の作動を説明する図である。
【図４】磁気ディスク装置の磁気ディスクの取付構造を説明する図である。
【図５】図４に示すワイヤバランスを説明する図である。
【符号の説明】
５１  ワイヤバランス
５３  ストック治具
５５  第１の斜面
５７  第１の山部
５９  第２の斜面
６１  第３の斜面
６３  第２の山部
６５  第４の斜面
７１  第１の溝
７１ａ、７１ｂ、７３ａ、７３ｂ  端部
７３  第２の溝
【図１】
0003793078.tif 000002
【図２】
0003793078.tif 000003
【図３】
0003793078.tif 000004
【図４】
0003793078.tif 000005
【図５】
0003793078.tif 000006